(57)【要約】【課題】本発明は、ダイオードを直列アレイ接続とし、１００Ｖ〜２３０Ｖの広範囲で利用することができ、燃焼ファンモータの断線状態を確実に検出し得る燃焼制御装置を実現することを目的としている。【解決手段】このため、燃焼ファンモータと、この燃焼ファンモータの燃焼状態を制御する制御手段とを備える燃焼制御装置において、前記燃焼ファンモータに直列に接続する少なくとも２個のシリコンダイオード群と、このシリコンダイオード群に対して並列に接続する逆極性としたシリコンダイオードとを備え、前記シリコンダイオード群及び前記シリコンダイオードに対して、シリコンダイオード群側と同極性に並列接続するフォトカップラ及び抵抗を備える燃焼ファン断線検知手段を設けている。【選択図】図１
2014077610.tif 000002
【特許請求の範囲】
【請求項１】
燃焼ファンモータと、この燃焼ファンモータの燃焼状態を制御する制御手段とを備える燃焼制御装置において、前記燃焼ファンモータに直列に接続する少なくとも２個のシリコンダイオード群と、このシリコンダイオード群に対して並列に接続する逆極性としたシリコンダイオードとを備え、前記シリコンダイオード群及び前記シリコンダイオードに対して、シリコンダイオード群側と同極性に並列接続するフォトカップラ及び抵抗を備える燃焼ファン断線検知手段を設けたことを特徴とする燃焼制御装置。
【請求項２】
前記シリコンダイオード群は、直列に接続した２個以上のシリコンダイオードを２列以上に配置したことを特徴とする請求項１に記載の燃焼制御装置。
【請求項３】
前記シリコンダイオード群は、直列に接続する少なくとも１個の抵抗を含んでいることを特徴とする請求項１に記載の燃焼制御装置。
【発明の詳細な説明】
【技術分野】
【０００１】
この発明は燃焼制御装置に係り、特に１００Ｖ〜２３０Ｖの広範囲で利用して燃焼ファンモータの断線状態の確実な検出を図る燃焼制御装置に関するものである。
【背景技術】
【０００２】
燃焼制御装置としては、以下に開示する特許文献１のものがある。
この特許文献１に開示されるものは、燃焼ファンの回転状態を検出し、燃焼空気の供給動作を把握して異状であるか否かを正確に判断し得る燃焼制御装置を実現するという目的を達成するために、
検出信号に応じて燃焼ファンの回転状況および／または異状であるか否かを判断する燃焼状態判断部を設けている。
【先行技術文献】
【特許文献】
【０００３】
【特許文献１】特開２００８−３０４１４２
【発明の概要】
【発明が解決しようとする課題】
【０００４】
ところで、従来の燃焼制御装置において、燃焼ファンの不作動を検出する方策としては、以下の２つが考えられる。
（１）風圧スイッチ等の微圧センサを設ける。
（２）燃焼ファンモータの回転を検出する回転検出センサを設ける。
また、燃焼ファンに電流が流れていないことを検出する方策としては、以下の２つが考えられる。
（ａ）電流センサ（磁界による電流検出器）を設ける。
（ｂ）電圧降下を発生させる抵抗器分流を設ける。
しかし、上記（１）及び（２）のいずれの方策においても、前記燃焼ファンの不作動を実に検出することは可能であるが、回路途中に独立した検出器を追加する必要があり、部品コストが増加するという不都合がある。
また、上記（１）及び（２）、そして（ａ）の各方策においては、高価な検出器が必要となり、コストが大となるという不都合がある。
更に、上記（ｂ）の方策においては、回路途中に抵抗器を設けることによって、動作電圧範囲が制約されることとなってしまい、１００Ｖ〜２００Ｖの広範囲では利用することができないとともに、電源電圧が低下した場合に、検出できなくなってしまう可能性を有しているという不都合がある。
【０００５】
この発明の目的は、ダイオードを直列アレイ接続とし、１００Ｖ〜２３０Ｖの広範囲で利用することができ、燃焼ファンモータの断線状態を確実に検出し得る燃焼制御装置を実現することにある。
【課題を解決するための手段】
【０００６】
そこで、この発明は、上述不都合を除去するために、燃焼ファンモータと、この燃焼ファンモータの燃焼状態を制御する制御手段とを備える燃焼制御装置において、前記燃焼ファンモータに直列に接続する少なくとも２個のシリコンダイオード群と、このシリコンダイオード群に対して並列に接続する逆極性としたシリコンダイオードとを備え、前記シリコンダイオード群及び前記シリコンダイオードに対して、シリコンダイオード群側と同極性に並列接続するフォトカップラ及び抵抗を備える燃焼ファン断線検知手段を設けたことを特徴とする。
【発明の効果】
【０００７】
この発明によれば、上述した従来の（ｂ）に関連する技術内容であるが、ダイオードを直列アレイ接続としている。
そして、ダイオードの順方向電圧は許容電流で基本的に同一の電圧降下が得られる特性を有効に利用したことにより、１００Ｖ〜２３０Ｖの広範囲でフォトカプラを確実に駆動することができる。
また、交流負荷が対象のため、逆方向接続のダイオードを設けることにより、関係する全てのダイオードで逆耐圧を不必要に高く設定することがなく、燃焼ファンモータの断線状態を確実に検出し得る。
【図面の簡単な説明】
【０００８】
【図１】図１はこの発明の実施例を示す燃焼制御装置のブロック図である。（実施例）
【図２】図２は燃焼制御装置の回路図である。（実施例）
【図３】図３は燃焼制御装置の燃焼ファン断線検知手段による検出のための負荷電流検出データを示す図である。（実施例）
【図４】図４は検出部分の変形例を示し、（ａ）はシリコンダイオード群を直列に接続した２個の第１、第２シリコンダイオードで構成した概略回路図、（ｂ）はシリコンダイオード群を直列に接続した３個以上のシリコンダイオードで構成した概略回路図である。（実施例）
【図５】図５は並列回路部分の第１の変形例を示す概略回路図である。（実施例）
【図６】図６は並列回路部分の第２の変形例を示す概略回路図である。（実施例）
【図７】図７は並列回路部分の第３の変形例を示す概略回路図である。（実施例）
【図８】図８はシリコンダイオード部分の変形例を示し、シリコンダイオードを複数個、例えば２個直列接続した第１、第２シリコンダイオードで構成した概略回路図である。（実施例）
【発明を実施するための形態】
【０００９】
以下図面に基づいてこの発明の実施例を詳細に説明する。
【実施例】
【００１０】
図１〜図３はこの発明の実施例を示すものである。
図１において、１は燃焼制御装置である。
この燃焼制御装置１は、燃焼ファンモータ２と、この燃焼ファンモータ２の燃焼状態を制御する制御手段３とを備えている。
このとき、この制御手段３は、燃焼時の出力状態を制御する燃焼出力制御部４と、点火状態を制御する点火系出力制御部５とを有する。
【００１１】
また、前記燃焼制御装置１の前記制御手段３の入力側に、図１及び図２に示す如く、操作入力判定部６と、センサ入力判定部７とを設ける。
このとき、前記操作入力判定部６に、運転スイッチ８と、運転切り替えスイッチ９と、外部サーモスタット１０とを接続する。
前記センサ入力判定部７には、転倒検知センサ１１と、過熱検知センサ１２とを接続する。
【００１２】
更に、前記燃焼制御装置１の前記制御手段３の入力側には、失火判定部１３を設ける。
この失火判定部１３は、フレームアイ１４からの信号及び後述する失火検出遅延タイマ１８からの判定有効信号によって、エラー信号を出力する。
【００１３】
そして、前記センサ入力判定部７及び前記失火判定部１３からのエラー信号を入力するエラー検出・自己保持部１５を設ける。
このエラー検出・自己保持部１５は、エラー信号を入力した際に、ポストパージタイマ１６やポンプ遅延タイマ１７、失火検出遅延タイマ１８に停止信号（「禁止信号」ともいう。）を出力する。
このとき、これらのポストパージタイマ１６やポンプ遅延タイマ１７、失火検出遅延タイマ１８は、前記操作入力判定部６からの運転許可信号も入力する。
【００１４】
前記ポストパージタイマ１６は、図１に示す如く、前記制御手段３の前記燃焼出力制御部４に接続する。
また、ポンプ遅延タイマ１７及び失火検出遅延タイマ１８は、前記制御手段３の前記点火系出力制御部５に接続する。
【００１５】
また、前記燃焼制御装置１の前記制御手段３の出力側には、燃焼ファン断線検知手段（「燃焼ファン無負荷検出器」とも換言できる。）１９と、前記燃焼ファンモータ２と、イグナイタ２０と、燃料ポンプ２１と、燃焼切り替え電磁弁２２とを接続する。
このとき、前記燃焼ファン断線検知手段１９は、前記制御手段３の前記燃焼出力制御部４の出力側に接続するとともに、燃焼ファン断線検知手段１９の出力側には前記燃焼ファンモータ２を接続し、前記ポンプ遅延タイマ１７に動作禁止信号を出力する。
前記イグナイタ２０及び前記燃料ポンプ２１、前記燃焼切り替え電磁弁２２は、前記制御手段３の前記点火系出力制御部５の出力側に接続する。
【００１６】
更に、前記燃焼制御装置１において、前記燃焼ファンモータ２に直列に接続する少なくとも２個のシリコンダイオード群２３と、このシリコンダイオード群２３に対して並列に接続する逆極性としたシリコンダイオード２４とを備え、前記シリコンダイオード群２３及び前記シリコンダイオード２４に対して、シリコンダイオード群側と同極性に並列接続するフォトカップラ２６及び抵抗２５を備える前記燃焼ファン断線検知手段１９を設ける構成とする。
詳述すれば、前記燃焼制御装置１は、図２に示す如く、電源２７を備えている。
また、前記シリコンダイオード群２３は、図２に示す如く、直列に接続した少なくとも２個、例えば３個の第１〜第３シリコンダイオード２３ａ、２３ｂ、２３ｃを有している。
そして、これらのシリコンダイオード群２３である３個の第１〜第３シリコンダイオード２３ａ、２３ｂ、２３ｃに対して、並列、かつ、逆極性となるように前記シリコンダイオード２４を接続する。
更に、これらの前記シリコンダイオード群２３及び前記シリコンダイオード２４に対して、前記燃焼ファン断線検知手段１９を並列に設けるものである。
つまり、この燃焼ファン断線検知手段１９は、直列に接続した抵抗２５及びフォトカップラ２６からなっており、これらの抵抗２５及びフォトカップラ２６を、前記シリコンダイオード群２３及び前記シリコンダイオード２４に対して並列に接続する。
そして、前記燃焼制御装置１は、前記燃焼ファンモータ２の作動状態を負荷電流が流れているという形で、前記燃焼ファン断線検知手段１９によって検出するものである。
【００１７】
追記すれば、先ず、一次側の回路（「プライマリ側の回路」ともいう。）において、前記シリコンダイオード群２３である３個の第１〜第３シリコンダイオード２３ａ、２３ｂ、２３ｃは、例えば１個で約０．８Ｖの電圧降下と考えた場合に、図３に示す如く、前記フォトカップラ２６の発光動作区間（図３の斜線部分参照。）において順方向電圧の約２．４Ｖの電圧降下を発生させる。
そして、発生した約２．４Ｖの電圧によって、前記フォトカップラ２６を駆動し、二次側の回路（「セカンダリ側の回路」ともいう。）に信号を伝達させる。
【００１８】
この二次側の回路において、前記フォトカップラ２６の出力側には、抵抗Ｒ１と抵抗Ｒ２、コンデンサＣ１による充放電回路と、出力としてトランジスタＱ１を備えている。
そして、一次側の回路に約２．４Ｖの電圧降下が発生している時には、コンデンサＣ１が放置され、反対に、一次側の回路に約２．４Ｖの電圧降下が発生していない時には、コンデンサＣ１に充電される。
このため、一次側の回路に約２．４Ｖの電圧降下が発生している時、つまり、図３の斜線部分の前記フォトカップラ２６の発光動作区間では、放充電回路を経て前記トランジスタＱ１がＯＦＦ状態となる。
反対に、一次側の回路に約２．４Ｖの電圧降下が発生していない時、つまり、図３の斜線部分の前記フォトカップラ２６の発光動作区間以外では、放充電回路を経て前記トランジスタＱ１がＯＮ状態となる。
このトランジスタＱ１がＯＮ状態となると、前記ポンプ遅延タイマ（「Ｐｕｍｐ  Ｒｕｎ  Ｄｅｌａｙ  Ｔｉｍｅｒ」とも記載する。）１７の作動条件によって、コンデンサＣ２の充電を許可しない。
そして、このコンデンサＣ２が充電されないと、ＯＰアンプＵ２が反転せず、トランジスタＱ２がＯＮしないので、前記燃料ポンプ２１の駆動用リレーＬ１が作動しない。
【００１９】
ここで参考までに、前記燃焼ファンモータ２の通電検出に関して記載する。
まず、前記シリコンダイオード群２３である３個の第１〜第３シリコンダイオード２３ａ、２３ｂ、２３ｃ及び前記シリコンダイオード２４は、夫々が約０．８Ｖの電圧降下とし、シリコンダイオード群２３全体を約２．４Ｖと設定する。
前記フォトカップラ２６を約１．２Ｖとする。
前記コンデンサＣ１を２２μＦとし、前記トランジスタＱ１の駆動能力を１３ｍＡ以上とする。
【００２０】
そして、一次側の回路の場合、図３の斜線部分に開示される前記フォトカップラ２６の発光動作区間において発生した約２．４Ｖの電圧からフォトカップラ２６を駆動すると、
（２．４−１．２）／１５０＝８ｍＡ（ＩＦ）
となる。
このときの前記抵抗Ｒ１のロスは、
８ｍＡ２ｘ１５０／２＝４．８ｍＷ
となる。
【００２１】
また、二次側の回路の場合は、前記フォトカップラ２６の変換効率を、５０％で設定すると、約４ｍＡとなる。
このとき、フォトカップラ２６のＩｃは、
Ｉｃ＝１８／３３ｋ≒０．５５ｍＡ
となるため、この約０．５５ｍＡは、上記の設定値である４ｍＡよりも著しく小さくなっている。
また、前記コンデンサＣ１のチャージτは、
τ＝３３ｋｘ２２μＦ＝７２６ｍｓ
であり、この７２６ｍｓの値は電源半サイクルの７２倍となっている。
更に、前記トランジスタＱ１の駆動において、抵抗ＲＢは、
ＲＢ＝１０ｋΩ
相当となり、直流電流増幅率ｈＦＥは、
ｈＦＥ＝５０
相当となる。
そして、入力ＯＮ電圧Ｒは、
Ｒ＝１．２Ｖ
である。
前記フォトカップラ２６のＯＦＦ時には、
（１０ｋΩｘ１２Ｖ）／（３３ｋΩ＋１０ｋΩ）＝２．８Ｖ
１２Ｖ／（３３ｋΩ＋１０ｋΩ）ｘ５０ｈＦＥ＝１３ｍＡ
となり、この１３ｍＡは負荷電流Ｉｃである。
更にまた、前記コンデンサＣ１の放電スピードは、１ｋから３３０Ωに変更する。
【００２２】
上述したように、前記燃焼制御装置１は、前記燃焼ファンモータ２に直列に接続する少なくとも２個のシリコンダイオード群２３と、このシリコンダイオード群２３に対して並列に接続する逆極性としたシリコンダイオード２４とを備え、前記シリコンダイオード群２３及び前記シリコンダイオード２４に対して、シリコンダイオード群側と同極性に並列接続するフォトカップラ２６及び抵抗２５を備える前記燃焼ファン断線検知手段１９を設ける構成としている。
このとき、ダイオードを直列アレイ接続とするとともに、ダイオードの順方向電圧は許容電流で基本的に同一の電圧降下が得られるという特性を有効に利用する。
これにより、１００Ｖ〜２３０Ｖの広範囲で１．６Ｖ以上を生成し、二次側の回路に信号を伝達する前記フォトカップラ２６を確実に駆動することができる。
また、交流負荷が対象のため、逆方向接続の前記シリコンダイオード２４を設けることにより、関係する全てのダイオードで逆耐圧を不必要に高く設定することがなく、前記燃焼ファンモータ２の断線状態を確実に検出し得る。
しかも、前記燃焼ファン断線検知手段１９を追加する際に、この燃焼ファン断線検知手段１９を並列に夫々接続する抵抗２５及びフォトカップラ２６によって構成したことにより、構成が徒に複雑化せず、製作が容易であるとともに、コストを低廉に維持することができるものである。
【００２３】
また、この発明の実施例においては、シリコンダイオード群２３や逆極性のシリコンダイオード２４は共に、半導体故障モード代表例の短絡時には、前記燃焼ファンモータ２への通電動作を維持した状態で前記燃料ポンプ２１を停止することができる。
【００２４】
なお、この発明は上述実施例に限定されるものではなく、種々の応用改変が可能である。
【００２５】
例えば、この発明の実施例においては、前記シリコンダイオード群２３を、直列に接続した３個の第１〜第３シリコンダイオード２３ａ、２３ｂ、２３ｃによって構成したが、図４（ａ）に示す如く、シリコンダイオード群３１が、２個の第１、第２シリコンダイオード３２ａ、３２ｂを備える特別構成とすることも可能である。
さすれば、２個の第１、第２シリコンダイオード３２ａ、３２ｂを備える前記シリコンダイオード群３１によって、前記燃焼ファンモータの断線状態を確実に検出し得ることや、構成が徒に複雑化せず、製作が容易であること、コストを低廉に維持できることなどに寄与し得る。
また、図４（ｂ）に示す如く、シリコンダイオード群４１が、３個以上の第１〜第ｎシリコンダイオード４２ａ、４２ｂ、・・・、４１ｎを備える特別構成とすることも可能である。
さすれば、３個以上の第１〜第ｎシリコンダイオード４２ａ、４２ｂ、・・・、４１ｎを備える前記シリコンダイオード群４１によって、前記燃焼ファンモータの断線状態を確実に検出し得ることや、構成が徒に複雑化せず、製作が容易であること、コストを低廉に維持できることなどに寄与し得る。
【００２６】
また、この発明の実施例においては、前記シリコンダイオード群２３を、直列に接続した３個の第１〜第３シリコンダイオード２３ａ、２３ｂ、２３ｃ、つまり一列に配設した第１〜第３シリコンダイオード２３ａ、２３ｂ、２３ｃによって構成したが、シリコンダイオード群５１を、直列に接続した２個以上のシリコンダイオードを２列以上に配置した特別構成とすることも可能である。
すなわち、例えば、図５に示す如く、直列に接続した３個の第１〜第３シリコンダイオードを２列に配置、つまり、第１列目の第１列目シリコンダイオード群５１−１及び第２列目の第２列目シリコンダイオード群５１−２を設ける。
そして、第１列目シリコンダイオード群５１−１を直列に接続した３個の第１〜第３シリコンダイオード５１ａ−１、５１ｂ−１、５１ｃ−１とする一方、第２列目シリコンダイオード群５１−２を直列に接続した３個の第１〜第３シリコンダイオード５１ａ−２、５１ｂ−２、５１ｃ−２とするものである。
さすれば、直列に接続した２個以上のシリコンダイオードを２列以上に配置した前記シリコンダイオード群５１によって、前記燃焼ファンモータの断線状態を確実に検出し得ることや、構成が徒に複雑化せず、製作が容易であること、コストを低廉に維持できることなどに寄与し得る。
追記すれば、第１列目の第１列目シリコンダイオード群５１−１及び第２列目の第２列目シリコンダイオード群５１−２で通電電流が分流されるので、小容量のダイオードの複数配列が可能で、小型で安価な部品構成ができる。
【００２７】
更に、直列に接続した２個以上のシリコンダイオードを２列以上に配置してシリコンダイオード群を形成する際に、各列の途中部位を接続する特別構成とすることも可能である。
すなわち、上述図５と同様に、図６に示す如く、２列以上、例えば２列の第１列目の第１列目シリコンダイオード群６１−１及び第２列目の第２列目シリコンダイオード群６１−２を設ける。
そして、第１列目シリコンダイオード群６１−１を直列に接続した２個以上、例えば３個の第１〜第３シリコンダイオード６１ａ−１、６１ｂ−１、６１ｃ−１とする一方、第２列目シリコンダイオード群６１−２を直列に接続した２個以上、例えば３個の第１〜第３シリコンダイオード６１ａ−２、６１ｂ−２、６１ｃ−２とする。
このとき、第１列目の第１列目シリコンダイオード群６１−１と第２列目の第２列目シリコンダイオード群６１−２との途中部位を、接続線６２によって接続し、シリコンダイオード群６１を構成するものである。
さすれば、第１列目の第１列目シリコンダイオード群６１−１と第２列目の第２列目シリコンダイオード群６１−２との途中部位を、接続線６２によって接続した前記シリコンダイオード群６１によって、前記燃焼ファンモータの断線状態を確実に検出し得ることや、構成が徒に複雑化せず、製作が容易であること、コストを低廉に維持できることなどに寄与し得る。
追記すれば、第１列目の第１列目シリコンダイオード群６１−１と第２列目の第２列目シリコンダイオード群６１−２との途中部位を、接続線６２によって接続し、シリコンダイオード群６１を構成するので、上述図５と同様に、小容量のダイオードの複数配列が可能で、小型で安価な部品構成ができる。
【００２８】
更にまた、この発明の実施例においては、前記シリコンダイオード群２３を、直列に接続した３個の第１〜第３シリコンダイオード２３ａ、２３ｂ、２３ｃによって構成したが、シリコンダイオード群７１が直列に接続する少なくとも１個の抵抗７２を含む特別構成とすることも可能である。
すなわち、上述図５と同様に、図７に示す如く、２列以上、例えば２列の第１列目の第１列目シリコンダイオード群７１−１及び第２列目の第２列目シリコンダイオード群７１−２を設ける。
そして、第１列目シリコンダイオード群７１−１を直列に接続した２個以上、例えば３個の第１〜第３シリコンダイオード７１ａ−１、７１ｂ−１、７１ｃ−１とする一方、第２列目シリコンダイオード群７１−２を直列に接続した２個以上、例えば３個の第１〜第３シリコンダイオード７１ａ−２、７１ｂ−２、７１ｃ−２とする。
このとき、第１列目の第１列目シリコンダイオード群７１−１に対して、少なくとも１個、例えば１個の第１抵抗７２−１を直列に接続するとともに、第２列目の第２列目シリコンダイオード群７１−２に対して、少なくとも１個、例えば１個の第２抵抗７２−２を直列に接続し、前記シリコンダイオード群７１を構成するものである。
さすれば、直列に接続する少なくとも１個の抵抗７２を含む前記シリコンダイオード群７１によって、前記燃焼ファンモータの断線状態を確実に検出し得ることや、構成が徒に複雑化せず、製作が容易であること、コストを低廉に維持できることなどに寄与し得る。
追記すれば、第１列目シリコンダイオード群７１−１及び第２列目シリコンダイオード群７１−２が接続されることで、第１列目シリコンダイオード群７１−１及び第２列目シリコンダイオード群７１−２の分流電流のバランス効果があり、回路の動作安定性（「信頼性」とも換言できる。）が向上する。
【００２９】
また、この発明の実施例においては、１個の前記シリコンダイオード２４によって逆極性側を構成したが、複数個、例えば２個の第１、第２シリコンダイオード８１、８２を直列接続して逆極性側を群構成とした特別構成とすることも可能である。
さすれば、例えば逆極性側に２個の第１、第２シリコンダイオード８１、８２を備えることによって、前記燃焼ファンモータの断線状態を確実に検出し得ることや、構成が徒に複雑化せず、製作が容易であること、コストを低廉に維持できることなどに寄与し得る。
しかも、逆極性側に３個以上のシリコンダイオードを直列に接続することも可能である。
そして、上記の逆極性側のシリコンダイオードの構成において、直列に複数個接続するのみでなく、並列接続する特別構成としても、上記の同様な効果を奏することが可能である。
【符号の説明】
【００３０】
１  燃焼制御装置
２  燃焼ファンモータ
３  制御手段
４  燃焼出力制御部
５  点火系出力制御部
６  操作入力判定部
７  センサ入力判定部
８  運転スイッチ
９  運転切り替えスイッチ
１０  外部サーモスタット
１１  転倒検知センサ
１２  過熱検知センサ
１３  失火判定部
１４  フレームアイ
１５  エラー検出・自己保持部
１６  ポストパージタイマ
１７  ポンプ遅延タイマ
１８  失火検出遅延タイマ
１９  燃焼ファン断線検知手段
２０  イグナイタ
２１  燃料ポンプ
２２  燃焼切り替え電磁弁
２３  シリコンダイオード群
２３ａ、２３ｂ、２３ｃ  第１〜第３シリコンダイオード
２４  シリコンダイオード
２５  抵抗
２６  フォトカップラ
２７  電源
【図１】
2014077610.tif 000003
【図２】
2014077610.tif 000004
【図３】
2014077610.tif 000005
【図４】
2014077610.tif 000006
【図５】
2014077610.tif 000007
【図６】
2014077610.tif 000008
【図７】
2014077610.tif 000009
【図８】
2014077610.tif 000010